(57)【要約】【課題】ＩＴＵ‐Ｔ勧告に従うファクシミリ通信によって、外部から画像データを受信するファクシミリ装置において、受信準備確認信号の送信後に、画像データＰＩＸに代えてトレーニングチェック信号ＴＣＦが受信された場合であっても、斯かる手順が破綻することを未然に防止できるファクシミリ装置を提供する。【解決手段】受信準備確認信号の送信後に所定の信号（データ）を受信した場合、受信した受信データが画像データであるか否かの判定を行ない、該判定結果に基づき、前記受信データに対して復号処理を施す。【選択図】図７
2014171117.tif 000002
【特許請求の範囲】
【請求項１】
ＩＴＵ‐Ｔ勧告に従うファクシミリ通信によって、外部から画像データを受信するファクシミリ装置において、
受信準備確認信号の送信後に受信した受信データが画像データであるか否かの判定を行なう判定手段と、
該判定手段の判定結果に基づき、前記受信データに対して画像形成に係る処理を施す処理手段と
を備えることを特徴とするファクシミリ装置。
【請求項２】
前記判定手段が前記受信データを画像データでないと判定した場合、該受信データの送信元にトレーニング失敗信号を送信する送信手段を備えることを特徴とする請求項１に記載のファクシミリ装置。
【請求項３】
前記受信データは１信号及び０信号を有しており、
前記判定手段は、前記受信データにおける、０信号の連続する期間と所定の閾値とを比較することにより、前記判定を行なうように構成してあることを特徴とする請求項１又は２に記載のファクシミリ装置。
【請求項４】
前記受信データは１信号及び０信号を有しており、
前記判定手段は、前記受信データにおいて、連続する０信号の数と所定の閾値とを比較することにより、前記判定を行なうように構成してあることを特徴とする請求項１又は２に記載のファクシミリ装置。
【請求項５】
前記送信手段がトレーニング失敗信号を送信した後、更に外部からデータが受信された場合、前記判定手段は、受信された受信データに対して前記閾値より小さい閾値にて比較を行なうように構成してあることを特徴とする請求項４に記載のファクシミリ装置。
【発明の詳細な説明】
【技術分野】
【０００１】
本発明は、ＩＴＵ‐Ｔ勧告に従うファクシミリ通信によって、外部から画像データを受信するファクシミリ装置に関する。
【背景技術】
【０００２】
現在、一般に普及されているファクシミリ装置においては、信号の送受信がＩＴＵ‐Ｔ勧告の規定に従って行われるので、ファクシミリ通信の相手側から次に送出されるであろう信号を予期することができる。
【０００３】
このようなファクシミリ装置においては、予期していた信号を受信しなかった場合、通信回線上の障害などにより、相手側から送出されたであろう信号を正しく受信できなかったと判断し、以前の手順に戻ってリトライすることで、通信手順の破綻を防止している。
【０００４】
また、特許文献１においては、エラーデータの再送を行う際、エラーの訂正結果及びエラーの分布状況から、エラーの原因がモデムの収束の遅れにあり、何度再送してもエラーは訂正されないと判断された場合のみ、ダミーデータを送出してエラーデータの再送を行い、また、ダミーデータの送出時間を、先頭フレームと連続したエラーフレームの長さ分送出するよう可変制御することにより、全体としての通信時間を削減し、エラーフレームを確実に再送することができる画像通信方法が開示されている。
【０００５】
更に、特許文献２においては、受信信号の電気的特性を監視する受信信号監視手段と、画像データを異常受信したとき、該受信信号監視手段の検出した障害要因を応答信号に含めて送信側に伝える障害要因報告手段と、この応答信号を受信したとき、応答信号の伝える障害要因を解析する解析手段と、該解析手段の解析結果に基づいて画像データの再送の送信条件を調整する送信信号調整手段とを設け、画像データの異常受信があったとき、送信側は障害要因の情報をもとに、再送する画像データの送信条件を改善するので、同じ様な通信障害が連続的に発生して再送が繰り返される事態が避けられるファクシミリ装置が開示されている。
【０００６】
また、特許文献３においては、Ｖ．３４規格に基づき半二重通信によるフェーズ２におけるラインプロービング信号に続いて送信されたトーン信号を受信するトーン信号受信部と、ラインプロービング信号に基づいて回線状態を解析したＩＮＦＯｈ情報を作成する作成部と、ラインプロービング信号を周波数解析した解析値における前記トーン信号に対応する所定の周波数１２００Ｈｚが、その周辺の周波数である１０５０Ｈｚ、１３５０Ｈｚの少なくともいずれか一方の成分と比べて大きいか否かを判定する判定手部とを備え、大きい場合は、シンボルレートとして２４００を選択して、このシンボルレートを反映したＩＮＦＯｈ情報を送信することにより、トーン信号の遅延障害による誤認を防止し、以降の通信制御の確立を確実に行うことができる変復調装置が開示されている。
【０００７】
また、特許文献４においては、送信側のファクシミリ通信装置は、ダミー信号を送信した後に画像データを送信し、画像データの送信完了後に確認信号として部分ページ信号ＰＰＳを送信する。受信側のファクシミリ通信装置は、画像データの受信の成否をメッセージ確認信号ＭＣＦ又は部分ページ要求ＰＰＲにて応答する。部分ページ要求ＰＰＲが与えられた場合、送信側のファクシミリ通信装置は画像データの再送を行う。このとき、送信側のファクシミリ通信装置は、初回の画像データ送信前のダミー信号の時間長より、２回目以降の画像データ再送前のダミー信号の時間長を長くすることによって、エコー障害を回避する通信システムが開示されている。
【先行技術文献】
【特許文献】
【０００８】
【特許文献１】特開平５‐２０７２５４号公報
【特許文献２】特開平６‐３１９０００号公報
【特許文献３】特開２００３‐２８３５９０号公報
【特許文献４】特開２０１０‐１４１７３４号公報
【発明の概要】
【発明が解決しようとする課題】
【０００９】
しかしながら、受信準備確認信号ＣＦＲ (Confirmation to Receive signal）の誤検知に関しては、上述したようなリトライ方法が正常に実施されない場合がある。すなわち、トレーニングチェック信号 ＴＣＦ（Training Check signal）を受信したファクシミリ装置は、受信準備確認信号ＣＦＲの送信により相手側に画像受信準備ができたことを通知する。相手側は、受信準備確認信号ＣＦＲを受信すれば、画像データＰＩＸの送出を開始する。一方、相手側は受信準備確認信号ＣＦＲを受信できなかった場合、再びトレーニングチェック信号ＴＣＦを送出するリトライ手順に入る。
【００１０】
このとき、ファクシミリ装置は、相手側が受信準備確認信号ＣＦＲを受信したか否かを知りえないので、ＩＴＵ‐Ｔ勧告に基づき、次に送られてくる信号を画像データＰＩＸとみなしてそれを受信する手順に入る。しかし、ＩＴＵ‐Ｔ勧告の手順によれば、画像データＰＩＸの受信手順に一旦入ってしまうと、トレーニングチェック信号ＴＣＦを受信する手順まで戻れないので、次に送られてくる信号が画像データＰＩＸでなくトレーニングチェック信号ＴＣＦである場合は、手順が破綻し、通信はエラーとなる。
【００１１】
しかしながら、上述したような特許文献１〜４に係る発明では、このような問題を解決することができない。
【００１２】
本発明は、斯かる事情に鑑みてなされたものであり、その目的とするところは、ＩＴＵ‐Ｔ勧告に従うファクシミリ通信によって、外部から画像データを受信するファクシミリ装置において、受信準備確認信号の送信後に受信した受信データが画像データであるか否かの判定を行ない、該判定結果に基づき、前記受信データに対して画像形成に係る処理を施すことにより、上述したように、画像データＰＩＸに代えてトレーニングチェック信号ＴＣＦが受信された場合であっても、斯かる手順が破綻し通信がエラーとなることを未然に防止できるファクシミリ装置を提供することにある。
【課題を解決するための手段】
【００１３】
本発明に係るファクシミリ装置は、ＩＴＵ‐Ｔ勧告に従うファクシミリ通信によって、外部から画像データを受信するファクシミリ装置において、受信準備確認信号の送信後に受信した受信データが画像データであるか否かの判定を行なう判定手段と、該判定手段の判定結果に基づき、前記受信データに対して画像形成に係る処理を施す処理手段とを備えることを特徴とする。
【００１４】
本発明にあっては、受信準備確認信号の送信後に所定の信号（データ）を受信した場合、前記判定手段が受信した受信データが画像データであるか否かの判定を行ない、前記判定手段による判定結果に基づき、例えば、斯かる受信データが画像データであると判定された場合のみ、前記処理手段が前記受信データに対して画像形成に係る処理を施す。
【００１５】
本発明に係るファクシミリ装置は、前記判定手段が前記受信データを画像データでないと判定した場合、該受信データの送信元にトレーニング失敗信号を送信する送信手段を備えることを特徴とする。
【００１６】
本発明にあっては、受信準備確認信号の送信後に受信した前記受信データに対して前記判定手段が画像データでないと判定した場合、前記送信手段は、該受信データの送信元に、トレーニング失敗信号を送信する。
【００１７】
本発明に係るファクシミリ装置は、前記受信データは１信号及び０信号を有しており、前記判定手段は、前記受信データにおける、０信号の連続する期間と所定の閾値とを比較することにより、前記判定を行なうように構成してあることを特徴とする。
【００１８】
本発明にあっては、前記判定手段は、前記受信データにおいて、０信号の連続する期間が所定の閾値以上である場合、該受信データは画像データでないと判定し、閾値以下である場合は、画像データであるとして判定する。
【００１９】
本発明に係るファクシミリ装置は、前記受信データは１信号及び０信号を有しており、前記判定手段は、前記受信データにおいて、連続する０信号の数と所定の閾値とを比較することにより、前記判定を行なうように構成してあることを特徴とする。
【００２０】
本発明にあっては、前記判定手段は、前記受信データにおいて、連続する０信号の数が所定の閾値以上である場合、該受信データは画像データでないと判定し、閾値以下である場合は、画像データであるとして判定する。
【００２１】
本発明に係るファクシミリ装置は、前記送信手段がトレーニング失敗信号を送信した後、更に外部からデータが受信された場合、前記判定手段は、受信された受信データに対して前記閾値より小さい閾値にて比較を行なうように構成してあることを特徴とする。
【００２２】
本発明にあっては、受信準備確認信号の送信後に受信した前記受信データが画像データでないと判定され、前記送信手段がトレーニング失敗信号を送信した後、更に外部からデータが受信された場合、前記判定手段は、前記閾値より小さい閾値を用いて、斯かる受信データに対する前記比較を行うことにより、画像データであるか否かの判定を行う。
【発明の効果】
【００２３】
本発明によれば、受信準備確認信号ＣＦＲの送信後に、何らかの原因により画像データＰＩＸに代えてトレーニングチェック信号ＴＣＦが受信された場合であっても、斯かる手段が破綻して通信がエラーとなることを未然に防止できる。
【図面の簡単な説明】
【００２４】
【図１】本発明の実施の形態に係る複合機の要部構成を示す機能ブロック図である。
【図２】本発明の実施の形態に係る複合機における、制御部の要部構成を示す機能ブロック図である。
【図３】本発明の実施の形態に係る複合機が行うファクシミリ通信の一般的手順を説明するための信号シーケンス図である。
【図４】ファクシミリ通信の手順において一般的に行なわれるリカバリの一例を示す信号シーケンス図である。
【図５】ファクシミリ通信の手順において一般的に行なわれるリカバリの他例を示す信号シーケンス図である。
【図６】一般的なリカバリ方法ではリカバリ出来ず、ファクシミリ通信の手順が破綻する事例を示す信号シーケンス図である。
【図７】本発明に係る複合機において、ファクシミリ通信の手順をリカバリする様子を示す信号シーケンス図である。
【図８】本発明に係る複合機において、ファクシミリ通信の手順をリカバリする様子を示すフローチャートである。
【図９】本発明に係る複合機において、ファクシミリ通信の手順をリカバリする様子を示すフローチャートである。
【図１０】本発明に係る複合機において、受信準備確認信号の送信後に受信されるデータ信号が画像データか否かの判定に用いられる、０信号の数の一例を示すテーブルである。
【発明を実施するための形態】
【００２５】
以下に、本発明の実施の形態に係るファクシミリ装置を、ファクシミリ装置の機能を有するいわゆる複合機に適用した場合を例として、図面に基づいて詳述する。
【００２６】
図１は本発明の実施の形態に係る複合機の要部構成を示す機能ブロック図である。図１において符号１００は本発明の実施の形態に係る複合機であり、複合機１００は、アナログの公衆電話回線網などの通信回線に接続されている。
【００２７】
複合機１００は、制御部１１、原稿読取部１２、印字部１３、操作表示部１４、記憶部１５、符号／復号部１７、計時部１８及び通信部１９等を備えて構成されている。これらの各部は、バス１６を介して接続されており、前記通信回線を介して外部とデータの送受信を行う。
【００２８】
原稿読取部１２は、ＣＣＤ（Charge Coupled Device）などの光学センサを有しており、制御部１１の制御に従って光学センサにて所定の解像度で原稿画像の読み取りを行い、送信用の画像データを取得する。原稿読取部１２は、読み取って取得した画像データを記憶部１５に記憶する。
【００２９】
印字部１３は、例えば半導体レーザ又はＬＥＤ（Light Emitting Diode）等の光源、トナーを付着させるための感光ドラム、並びにトナーを熱及び圧力で印刷用紙へ転写して定着させる定着器等を有しており、例えば、通信回線を介したファクシミリ通信にて他のファクシミリ装置から受信した画像を印刷用紙などの媒体に画像形成（印刷）する。ファクシミリ通信にて受信した画像のデータは記憶部１５に記憶され、印字部１３は記憶部１５から画像データを読み出して画像の印刷を行う。
【００３０】
操作表示部１４は、スタートスイッチ、テンキー及び各種のファンクションスイッチ等のユーザの操作を受け付ける種々のスイッチを備えている。複合機１００を使用するユーザは、操作表示部１４のスイッチを操作することによって、送信先の入力、原稿を読み取る解像度の設定及び通信結果の確認等の種々の操作を行うことができる。操作表示部１４は、ユーザによるスイッチ操作を受け付けた場合に制御部１１へ操作内容を表す信号を送り、これにより制御部１１はユーザの操作に応じた処理を行う。
【００３１】
また、操作表示部１４は、ＬＣＤ又はＥＬ（Electroluminescence）パネル等の表示部を有しており、制御部１１の制御に応じて文字及び画像等を表示する。操作表示部１４は、例えば複合機１００を操作するための設定項目及びメニュー、複合機１００の動作状態、並びに各種の警告メッセージ等を表示する。更に、操作表示部１４の表示部の表はタッチパネルによって覆われている。
【００３２】
記憶部１５は、ＤＲＡＭ（Dynamic Random Access Memory）又はフラッシュメモリ等のデータ書き換え可能な大容量のメモリ素子で構成されており、原稿読取部１２が読み取った画像又はファクシミリ通信により受信した画像等のデータを一時的に記憶する。また、記憶部１５がフラッシュメモリなどの不揮発性のメモリ素子で構成されている場合、又は記憶部１５がマスクＲＯＭ（Read Only Memory）又はＥＥＰＲＯＭ（Electrically Erasable Programmable ROM）等の不揮発性メモリを更に有している場合には、記憶部１５は制御部１１が実行する各種のプログラム及びテーブルなどのデータを予め記憶している。記憶部１５は、例えば、後述する、０信号の個数を示すテーブルを記憶している。
【００３３】
符号／復号部１７は、原稿読取部１２が読み取って取得した画像データに対して予め定められた形式の符号化を行うことによって、ファクシミリ通信により送信すべき画像データのデータ量を低減する。また、ファクシミリ通信により他のファクシミリ通信装置から符号化された画像データを受信し、これを復号して元の形式に戻す処理（画像形成に係る処理）を行う。すなわち、符号／復号部１７は、制御部１１の制御に応じて、原稿読取部１２が読み取った送信用の画像データを符号化して記憶部１５へ記憶し、また受信した画像データを復号して印字部１３へ与える。
【００３４】
計時部１８は、時間を計測して制御部１１へ通知する。計時部１８は、制御部１１の制御により、計時の開始及び停止、並びに計時した時間のリセット等が制御される。
【００３５】
通信部１９は、前記通信回線を介して他のファクシミリ通信装置との間でデータの送受信を行うものであり、ＮＣＵ（Network Control Unit）２０及びモデム２１を有している。ＮＣＵ２０は、アナログの公衆電話回線網などの通信回線の閉結及び開放の回線制御を行うものであり、制御部１１の制御に応じてモデム２１を通信回線に接続する。またＮＣＵ２０は、予め定められたファクシミリ通信のプロトコルに従って、画像データ及び制御信号等の送受信を行うと共に、ファクシミリ通信の自動発呼処理及び自動着呼処理を行う。
【００３６】
モデム２１は、ファクシミリ通信の規格に基づいて、送信用の画像データを通信回線での伝達に適した形式のアナログ信号に変調すると共に、他のファクシミリ通信装置からのアナログ信号を復調して画像データを取得する。
【００３７】
これらにより複合機１００は、原稿読取部１２にて原稿を読み取って送信用の画像データを取得し、この画像データを符号／復号部１７にて符号化することでデータ量を低減し、通信部１９にて画像データをアナログ信号に変換して通信回線を介して他のファクシミリ通信装置へ送信することができる。また、通信回線を介して他のファクシミリ通信装置からのデータを受信した場合、複合機１００は、通信部１９にて受信データを復調して画像データを取得し、この画像データを符号／復号部１７にて復号し、印字部１３にて印刷用紙に画像を印刷することができる。
【００３８】
図２は本発明の実施の形態に係る複合機１００における、制御部１１の要部構成を示す機能ブロック図である。制御部１１は、ＣＰＵ（Central Processing Unit）１１１、ＲＯＭ１１２、ＲＡＭ１１３と、判定部１１４と、送信部１１５とを備えている。
【００３９】
ＲＯＭ１１２には各種の制御プログラム、演算用のパラメータのうちの基本的に固定のデータ等が予め格納されており、ＲＡＭ１１３はデータを一時的に記憶し、記憶順、記憶位置等に関係なく読み出すことが可能である。また、ＲＡＭ１１３は、例えば、ＲＯＭ１１２から読み出されたプログラム、該プログラムを実行することにより発生する各種データ、該実行の際適宜変化するパラメータ等を記憶する。
【００４０】
ＣＰＵ１１１は、ＲＯＭ１１２に予め格納されている制御プログラムをＲＡＭ１１３上にロードして実行することによって、上述した各種ハードウェアの制御を行ない、装置全体を本発明の複合機１００として動作させる。    
【００４１】
判定部１１４は、所定のタイミングで受信されるデータ信号に係るデータが画像データであるか否かを判定する。より詳しくは、判定部１１４は、後述する受信準備確認信号ＣＦＲの送信後に、通信部１９を介して受信したデータ信号（受信データ）が画像データであるか否かの判定を行なう。斯かる判定は、受信したデータ信号のデータ内において、「０信号」が継続する時間が１秒（又は１．５秒）以上であるか否かに基づいて行なわれる。より詳しいことは後で説明する。
【００４２】
送信部１１５は、判定部１１４の判定結果に基づき、斯かる他のファクシミリ通信装置に後述するトレーニング失敗信号ＦＴＴを送信する。詳しくは、判定部１１４が、受信したデータ信号に係るデータを画像データでないと判定した場合、送信部１１５は該データ信号の送信元たる他のファクシミリ通信装置に、通信部１９を介してトレーニング失敗信号ＦＴＴを送信する。
【００４３】
図３は本発明の実施の形態に係る複合機１００が行うファクシミリ通信の一般的手順を説明するための信号シーケンス図である。図３は、画像データの送信する他のファクシミリ装置（発呼側装置）と、該画像データを受信する複合機１００（被呼側装置）との間の信号又はデータの送受信を示してある。
【００４４】
ファクシミリ通信による画像データの送受信を行う場合、まず、発呼側装置の他のファクシミリ装置（以下、相手装置という）は、ユーザにより入力された被呼側装置（複合機１００）へコーリングトーンＣＮＧ（Calling tone）を送信する。
【００４５】
被呼側装置の複合機１００は、発呼側装置の相手装置からのコーリングトーンＣＮＧを受信した場合、まず、被呼局識別信号ＣＥＤ（Called station identification signal）を発呼側装置の相手装置へ送信する。次いで、被呼側装置の複合機１００は、自装置の製造会社などの情報を含む非標準機能信号ＮＳＦ（Non-Standard Facilities signal）と、自装置の電話番号などの情報を含む被呼装置識別信号ＣＳＩ（Called Subscriber Identification signal）と、伝送速度及び最大受信幅等の自装置の性能に関する情報を含むデジタル識別信号ＤＩＳ（Digital transmit command Signal）とを送信することによって、発呼側装置の相手装置に自装置の機能及び性能等を通知する。ただし、非標準機能信号ＮＳＦ及び被呼装置識別信号ＣＳＩは送信されない場合もある。
【００４６】
被呼側装置の複合機１００から非標準機能信号ＮＳＦ、被呼装置識別信号ＣＳＩ及びデジタル識別信号ＤＩＳ等の信号を受信した場合、発呼側装置の相手装置は、自装置の電話番号などの情報を含む送信装置識別信号ＴＳＩ（Transmitting Subscriber Identification signal）と、自装置の製造会社などの情報を含む非標準手順信号ＮＳＳ（Non-Standard facilities Set-up）と、伝送速度及び最大受信幅等の自装置の性能に関する情報を含むデジタル命令信号ＤＣＳ（Digital Command Signal）とを送信することによって、被呼側装置の複合機１００に自装置の機能及び性能等を通知する。ただし、送信装置識別信号ＴＳＩ及び非標準手順信号ＮＳＳは送信されない場合もある。
【００４７】
次いで、発呼側装置の相手装置はトレーニングチェック信号ＴＣＦ（Training Check signal）を被呼側装置の複合機１００へ送信する。トレーニングチェック信号ＴＣＦを受信した被呼側装置の複合機１００は、受信準備確認信号ＣＦＲ（Confirmation to Receive signal）を発呼側装置の相手装置へ送信する。これにより、発呼側装置の相手装置と被呼側装置の複合機１００との画像データの送受信の準備が完了する。
【００４８】
発呼側装置の相手装置は、受信準備確認信号ＣＦＲを受信した後、画像データＰＩＸを１ページ分ずつ送信し、予め定められたデータ量（規定単位量）の画像データを送信する毎に部分ページ信号ＰＰＳ（Partial Page Signal）を被呼側装置の複合機１００へ送信する。部分ページ信号ＰＰＳは、画像データの受信を正しく行うことができたか否かを発呼側装置の相手装置が確認するための確認信号である。
【００４９】
また、部分ページ信号ＰＰＳには、ＰＰＳ−ＥＯＭ（PPS-End Of Message）、ＰＰＳ−ＥＯＰ（PPS-End Of Procedure）、ＰＰＳ−ＭＰＳ（PPS-Multipage Signal）及びＰＰＳ−ＮＵＬＬ等の種類がある。発呼側装置の相手装置が送信しようとする画像データの残量が規定単位量を超えている場合には、ＰＰＳ−ＥＯＭ、ＰＰＳ−ＭＰＳ又はＰＰＳ−ＮＵＬＬなどが用いられる。これに対して画像データの残量が規定単位量以内の場合、即ち送信しようとする画像データの最後のデータの場合には、ＰＰＳ−ＥＯＰが用いられる。
【００５０】
部分ページ信号ＰＰＳを受信した被呼側装置の複合機１００は、受信した規定単位量の画像データに欠損があるか否かを調べる。即ち、被呼側装置の複合機１００は、規定単位量の画像データが正しく受信されたか否かを調べる。受信した画像データに欠損がある場合、被呼側装置の複合機１００は、この旨を通知して画像データの再送信を要求するための部分ページ要求ＰＰＲ（Partial Page Request）を、部分ページ信号ＰＰＳに対する応答信号として発呼側装置の相手装置へ送信する。
【００５１】
これにより発呼側装置の相手装置へ画像データの欠損があった部分に関する情報を通知することができ、部分ページ要求ＰＰＲを受信した発呼側装置の相手装置は、欠損があった部分を含む規定単位量の画像データの再送信を行う。再送信された画像データを受信した被呼側装置の複合機１００は、受信した画像データにより欠損部分を埋め、規定単位量の画像データの全てが揃った場合に、メッセージ確認信号ＭＣＦ（Message Confirmation signal）を発呼側装置の相手装置へ送信する。また、再送信された画像データにより欠損部分を埋めても規定量の画像データの全てが揃わない場合、被呼側装置の複合機１００は部分ページ要求ＰＰＲを発呼側装置の相手装置へ送信する。
【００５２】
画像データの全てが揃うまで再送信を繰り返し行い、被呼側装置の複合機１００からメッセージ確認信号ＭＣＦを受信した発呼側装置の相手装置は、次の規定単位量の画像データの送信を行う。また、全ページ分の画像データの送信が終了した場合、発呼側装置の相手装置は、部分ページ信号ＰＰＳの手順終了信号ＰＰＳ−ＥＯＰを送信する。これに対して、被呼側装置の複合機１００は、全ページ分の画像データの受信完了を確認した後、メッセージ確認信号ＭＣＦを送信する。
【００５３】
これにより画像データの送受信が完了し、発呼側装置の相手装置は切断命令信号ＤＣＮ（Disconnect signal）を被呼側装置の複合機１００へ送信する。これに応じて複合機１００の通信部１９は通信回線との接続を遮断し、発呼側装置の相手装置及び被呼側装置の複合機１００によるファクシミリ通信が終了する。
【００５４】
このようなファクシミリ通信の手順においては、回線上のノイズ等の外部要因による障害で、信号が正しく相手に伝わらないことが有り得る。この場合、一般には、通信相手から次に送出されてくることが期待される信号を一定時間の間に受信できなかった場合、先刻に通信相手に送出した信号が該通信相手によって受信されなかったとみなして、その信号を再度送信する。これにより、ファクシミリ通信の手順はリカバリされ、破綻することなく継続する。
【００５５】
図４はファクシミリ通信の手順において一般的に行なわれるリカバリの一例を示す信号シーケンス図である。説明の便宜上、被呼側装置の複合機１００及び発呼側装置の相手装置の間におけるファクシミリ通信を例にあげて説明する。
【００５６】
例えば、被呼側装置の複合機１００は、前記発呼側装置の相手装置からのコーリングトーンＣＮＧを受信した場合、被呼局識別信号ＣＥＤを該発呼側装置の相手装置へ送信した後、デジタル識別信号ＤＩＳを送信する。しかし、デジタル識別信号ＤＩＳを送出しても、発呼側装置の相手装置からデジタル命令信号ＤＣＳ(場合によってＴＳＩ／ＮＳＳを含む) を受信しておらず、このような状態が、例えば、３秒以上継続した場合、デジタル識別信号ＤＩＳが発呼側装置の相手装置に受信されなかったか、デジタル命令信号ＤＣＳを被呼側装置の複合機１００が受信できなかったかのどちらかが原因として考えられる。
【００５７】
このような場合、被呼側装置の複合機１００は、デジタル識別信号ＤＩＳを再度送出し、再び発呼側装置の相手装置からのデジタル命令信号ＤＣＳが受信されることを待つことになっている。デジタル識別信号ＤＩＳを受信した発呼側装置の相手装置は、デジタル命令信号ＤＣＳ(場合によってＴＳＩ／ＮＳＳを含む)を被呼側装置の複合機１００に送出する。これによってファクシミリ通信の手順がリカバリされ、破綻することなく継続することになる。
【００５８】
また、トレーニングチェック信号ＴＣＦを正しく受信できなかった場合は、上記とは異なるリカバリ手順が準備されている。
【００５９】
図５はファクシミリ通信の手順において一般的に行なわれるリカバリの他例を示す信号シーケンス図である。説明の便宜上、被呼側装置の複合機１００及び発呼側装置の相手装置の間におけるファクシミリ通信を例にあげて説明する。
【００６０】
例えば、被呼側装置の複合機１００は、トレーニングチェック信号ＴＣＦが正しく受信できなかった場合、トレーニング失敗信号ＦＴＴを送出して、発呼側装置の相手装置に再度トレーニングを行うことを要求するとともに、自身はデジタル命令信号ＤＣＳの受信を待つ。
【００６１】
この際、発呼側装置の相手装置はトレーニング失敗信号ＦＴＴを受信すると、再びデジタル命令信号ＤＣＳを送出すると共に、トレーニングチェック信号ＴＣＦを送信する。これによって、トレーニングチェック信号ＴＣＦを受信できた場合、被呼側装置の複合機１００は受信準備確認信号ＣＦＲを発呼側装置の相手装置に送信する。従って、ファクシミリ通信の手順はリカバリされ、破綻することなく継続することになる。
【００６２】
一方、以上の一般的なリカバリ方法でリカバリ出来ない場合がある。図６は一般的なリカバリ方法ではリカバリ出来ず、ファクシミリ通信の手順が破綻する事例を示す信号シーケンス図である。
【００６３】
デジタル命令信号ＤＣＳ(場合によってＴＳＩ／ＮＳＳを含む)及びトレーニングチェック信号ＴＣＦを正しく受信した場合、被呼側装置のファクシミリ装置は、受信準備確認信号ＣＦＲを発呼側装置の相手装置に送出する。しかし、斯かる受信準備確認信号ＣＦＲを発呼側装置の相手装置が受信できなかった場合、該発呼側装置の相手装置はデジタル命令信号ＤＣＳ及びトレーニングチェック信号ＴＣＦを再度送出することになる。
【００６４】
しかしながら、この時、被呼側装置のファクシミリ装置は画像データＰＩＸが送信されるであろうと期待し、画像データＰＩＸの受信を準備しているため、画像データＰＩＸと同じ変調方式であるトレーニングチェック信号ＴＣＦが受信された場合、該トレーニングチェック信号ＴＣＦを画像データＰＩＸと誤解して受信を開始することがある。この場合に受信されたトレーニングチェック信号ＴＣＦは画像データＰＩＸでないので、画像の復号を行うことはできない。
【００６５】
また、画像の復号が行えないことが明確になった時点でファクシミリ通信の手順をリカバリしようとしても、ＩＴＵ‐Ｔ勧告には、斯かるリカバリ手順が準備されていないので、ファクシミリ通信の手順は破綻し、通信エラーになる。
【００６６】
しかし、本発明に係る複合機１００においては、このような場合も対応できるように構成されている。図７は本発明に係る複合機１００において、ファクシミリ通信の手順をリカバリする様子を示す信号シーケンス図である。説明の便宜上、発呼側装置の相手装置及び被呼側装置の複合機１００の間におけるファクシミリ通信を例にあげて説明する。
【００６７】
上述したように、被呼側装置の複合機１００が受信準備確認信号ＣＦＲを発呼側装置の相手装置に送出した後、該発呼側装置の相手装置から所定の信号（データ）を受信した場合、複合機１００は受信したデータ信号に対して復号を施す前に、斯かるデータ中に「０信号」が連続している時間を計測する。これは、斯かる受信準備確認信号ＣＦＲが発呼側装置の相手装置によって正しく受信された場合か否かを問わず、行なわれる。
【００６８】
ＩＴＵ‐Ｔ勧告によれば、トレーニングチェック信号ＴＣＦは１．５秒間の「０信号」の連続を持つデータである。一方、画像データＰＩＸにおいてはデータ中に「０信号」の連続が１秒以上続く可能性は低い。
【００６９】
そこで、複合機１００においては、「０信号」の連続が１秒以上であった時は、該データ信号は再送されたトレーニングチェック信号ＴＣＦとみなし、該データ信号の受信後にトレーニング失敗信号ＦＴＴを発呼側装置の相手装置に送出することで、ファクシミリ通信の手順はリカバリされ、通信は正常に継続される。
【００７０】
すなわち、受信準備確認信号ＣＦＲが発呼側装置の相手装置によって正しく受信されず、画像データＰＩＸでなく、トレーニングチェック信号ＴＣＦが再び複合機１００に送信された場合は、上述したように、斯かるデータ信号のデータ中に「０信号」の連続が１秒以上続くと判断されるので、該画像データに対する復号の実施が開始されることなく、複合機１００は、トレーニング失敗信号ＦＴＴを発呼側装置の相手装置に送信する。
【００７１】
図８及び図９は本発明に係る複合機１００において、ファクシミリ通信の手順をリカバリする様子を示すフローチャートである。説明の便宜上、発呼側装置の相手装置及び被呼側装置の複合機１００の間におけるファクシミリ通信を例にあげて説明する。
【００７２】
ファクシミリ通信によって、複合機１００が相手装置と所定画像データの送受信を行う場合、まず、発呼側装置の相手装置は、被呼側装置（複合機１００）にコーリングトーンＣＮＧを送信する。これによって、被呼側装置の複合機１００はコーリングトーンＣＮＧを受信する。
【００７３】
この際、ＣＰＵ１１１は、通信部１９を監視することにより、コーリングトーンＣＮＧを受信したか否かを判定する（ステップＳ１０１）。
【００７４】
例えば、ＣＰＵ１１１は、コーリングトーンＣＮＧを受信していないと判定した場合（ステップＳ１０１：ＮＯ）、所定時間の経過まで斯かる判定を繰り返す。
【００７５】
また、ＣＰＵ１１１は、コーリングトーンＣＮＧを受信したと判定した場合（ステップＳ１０１：ＹＥＳ）、被呼局識別信号ＣＥＤと共に、デジタル識別信号ＤＩＳ（場合によって、ＮＳＦ／ＣＳＩを含む）を送信するよう通信部１９に指示する。ＣＰＵ１１１の指示に応じて、通信部１９は、発呼側装置の相手装置に被呼局識別信号ＣＥＤと共に、デジタル識別信号ＤＩＳを送信する（ステップＳ１０２）。
【００７６】
複合機１００から被呼局識別信号ＣＥＤと、デジタル識別信号ＤＩＳを受信した発呼側装置の相手装置は、デジタル命令信号ＤＣＳ(場合によって ＴＳＩ／ＮＳＳを含む)を送信すると共に、トレーニングチェック信号ＴＣＦを送信する。
【００７７】
この際、ＣＰＵ１１１は、通信部１９を監視することにより、トレーニングチェック信号ＴＣＦを受信したか否かを判定する（ステップＳ１０３）。
【００７８】
ＣＰＵ１１１は、トレーニングチェック信号ＴＣＦを受信していないと判定した場合（ステップＳ１０３：ＮＯ）、所定時間の経過まで斯かる判定を繰り返す。
【００７９】
また、ＣＰＵ１１１は、トレーニングチェック信号ＴＣＦを受信したと判定した場合（ステップＳ１０３：ＹＥＳ）、受信準備確認信号ＣＦＲを送信するよう通信部１９に指示する。ＣＰＵ１１１の指示に応じて、通信部１９は、発呼側装置の相手装置に受信準備確認信号ＣＦＲを送信する（ステップＳ１０４）。
【００８０】
この際、発呼側装置の相手装置は、上述したように、斯かる受信準備確認信号ＣＦＲを正しく受信した場合、画像データＰＩＸを複合機１００に送信する。一方、発呼側装置の相手装置は、斯かる受信準備確認信号ＣＦＲを正しく受信していない場合、画像データＰＩＸでなく、トレーニングチェック信号ＴＣＦを再び複合機１００に送信する（図７参照）。
【００８１】
次いで、ＣＰＵ１１１は、通信部１９を監視することにより、発呼側装置の相手装置から所定のデータ信号を受信したか否かを判定する（ステップＳ１０５）。ＣＰＵ１１１は所定のデータ信号を受信していないと判定した場合（ステップＳ１０５：ＮＯ）、所定時間の経過まで斯かる判定を繰り返す。
【００８２】
一方、ＣＰＵ１１１が、所定のデータ信号を受信したと判定した場合（ステップＳ１０５：ＹＥＳ）、判定部１１４は受信されたデータ信号に係るデータが画像データであるか否かを判定する（ステップＳ１０６）。上述したように、判定部１１４は、受信したデータ信号に係るデータ内において「０信号」が継続する時間が１秒（又は１．５秒）以上であるか否かに基づいて、斯かる判定を行う。
【００８３】
判定部１１４が受信されたデータ信号に係るデータが画像データでないと判定した場合（ステップＳ１０６：ＮＯ）、送信部１１５は該データ信号の送信元たる発呼側装置の相手装置に、通信部１９を介してトレーニング失敗信号ＦＴＴを送信し（ステップＳ１１４）、処理をステップＳ１０５に戻す。
【００８４】
また、判定部１１４が受信されたデータ信号に係るデータを画像データであると判定した場合（ステップＳ１０６：ＹＥＳ）、ＣＰＵ１１１は、受信した画像データに欠損があるか否か、すなわち、規定量の画像データの全てが揃ったか否か判定する（ステップＳ１０７）。斯かる判定については既に説明しており、詳しい説明を省略する。
【００８５】
ＣＰＵ１１１は、受信した規定量の画像データが全て揃っていないと判定した場合（ステップＳ１０７：ＮＯ）、該データ信号の送信元たる発呼側装置の相手装置に、通信部１９を介して、部分ページ要求ＰＰＲを送信することにより（ステップＳ１１３）、斯かる旨を通知して画像データの再送信を要求する。
【００８６】
以降、処理はステップＳ１０５に戻り、ステップＳ１０５〜ステップＳ１０７の処理が繰り返される。すなわち、部分ページ要求ＰＰＲを受信した発呼側装置の相手装置は、欠損があった部分を含む画像データの再送信を行う。再送信された画像データを受信した被呼側装置の複合機１００は、受信した画像データにより欠損部分を埋める。また、再送信された画像データにより欠損部分を埋められた場合でも規定量の画像データの全てが揃わない場合、部分ページ要求ＰＰＲが再び発呼側装置の相手装置へ送信される。
【００８７】
ＣＰＵ１１１は、受信した規定量の画像データが全て揃っていると判定した場合（ステップＳ１０７：ＹＥＳ）、通信部１９を介して、メッセージ確認信号ＭＣＦを発呼側装置の相手装置に送信する（ステップＳ１０８）。この際、複合機１００からメッセージ確認信号ＭＣＦを受信した発呼側装置の相手装置は、次の規定単位量の画像データの送信を行う。
【００８８】
次いで、ＣＰＵ１１１は全ページ分の画像データの受信が完了したか否かを判定する（ステップＳ１０９）。斯かる判定は、ＣＰＵ１１１が、例えば、発呼側装置の相手装置から部分ページ信号ＰＰＳの手順終了信号ＰＰＳ−ＥＯＰを受信したか否かを確認することにより行なわれる。
【００８９】
ＣＰＵ１１１は全ページ分の画像データの受信が完了していないと判定した場合（ステップＳ１０９：ＮＯ）、処理をステップＳ１０５に戻す。
【００９０】
また、ＣＰＵ１１１は全ページ分の画像データの受信が完了したと判定した場合（ステップＳ１０９：ＹＥＳ）、全ページ分の画像データの受信完了を確認した後、通信部１９を介して、発呼側装置の相手装置に、メッセージ確認信号ＭＣＦを送信する（ステップＳ１１０）。
【００９１】
次いで、符号／復号部１７は、以上のようにして、発呼側装置の相手装置から受信された画像データに対して復号処理を施し、元の形式に戻す（ステップＳ１１１）。
【００９２】
また、ＣＰＵ１１１は、通信部１９を監視することにより、発呼側装置の相手装置から切断命令信号ＤＣＮを受信したか否かを判定する（ステップＳ１１２）。ＣＰＵ１１１は、発呼側装置の相手装置から切断命令信号ＤＣＮを受信していないと判定した場合（ステップＳ１１２：ＮＯ）、所定時間の経過まで斯かる判定を繰り返す。
【００９３】
一方、ＣＰＵ１１１が発呼側装置の相手装置から切断命令信号ＤＣＮを受信したと判定した場合（ステップＳ１１２：ＹＥＳ）、通信部１９は通信回線との接続を遮断し、発呼側装置の相手装置及び被呼側装置の複合機１００の間におけるファクシミリ通信が終了する。
【００９４】
以上の記載においては、本発明に係る複合機１００が発呼側装置の相手装置に対して受信準備確認信号ＣＦＲを送信した後、該発呼側装置の相手装置から受信されるデータ信号（画像データＰＩＸ又はトレーニングチェック信号ＴＣＦ）に係るデータが画像データであるか否かを判定する際、受信したデータ信号に係るデータ内において「０信号」が継続する時間が１秒（又は１．５秒）以上であるか否かに基づいて行う場合を例に挙げて説明したがこれに限るものでない。
【００９５】
斯かる判定を、例えば、受信準備確認信号ＣＦＲの送信後に受信されるデータ信号に係るデータ内において、単位時間内に継続する「０信号」の数に基づいて行うように構成しても良い。
【００９６】
図１０は本発明に係る複合機１００において、受信準備確認信号ＣＦＲの送信後に受信されるデータ信号が画像データか否かの判定に用いられる、０信号の数の一例を示すテーブルである。以下、斯かる判定に用いられる０信号の数を０信号数基準という。
【００９７】
例えば、最初に受信されたデータ信号（一回目のデータ信号）に係るデータが画像データでないと判定された場合、上述したように、複合機１００は、発呼側装置の相手装置に、トレーニング失敗信号ＦＴＴを送信する。これに対して斯かる発呼側装置の相手装置は、再び複合機１００にデータ信号（画像データＰＩＸ又はトレーニングチェック信号ＴＣＦ）を送信する。複合機１００は該データ信号（２回目のデータ信号）を受信して、該２回目のデータ信号に対しても斯かるデータが画像データであるか否かの判定を行う。
【００９８】
しかし、トレーニングチェック信号ＴＣＦは、通信相手からのトレーニング失敗信号ＦＴＴを受信する度に、送信速度を減ずるものであるため、これに対応するためには、図１０に示すように、２回目のデータ信号に対する０信号数基準を１回目のデータ信号に対する０信号数基準より小さくする必要がある。
【００９９】
また、前記０信号数基準は、１秒間における０信号の数であってもよく、１．５秒間における０信号の数であっても良い。
【０１００】
なお、上述した制御部１１の判定部１１４及び送信部１１５は、ハードウェアロジックによって構成してもよいし、ＣＰＵ１１１が所定のプログラムを実行することにより、ソフトウェア的に構築されてもよい。
【０１０１】
本発明においては、ＩＴＵ‐Ｔ勧告に従うファクシミリ通信によって、外部から画像データを受信するファクシミリ装置１００において、受信準備確認信号の送信後に受信した受信データが画像データであるか否かの判定を行なう判定手段１１４と、該判定手段１１４の判定結果に基づき、前記受信データに対して画像形成に係る処理を施す処理手段１７とを備えることを特徴とする。
本発明によれば、受信準備確認信号ＣＦＲの送信後に、何らかの原因により画像データＰＩＸに代えてトレーニングチェック信号ＴＣＦが受信された場合であっても、斯かる手順が破綻し通信がエラーとなることを未然に防止できる。
本発明においては、前記判定手段１１４が前記受信データを画像データでないと判定した場合、該受信データの送信元にトレーニング失敗信号を送信する送信手段１１５を備えることを特徴とする。
本発明によれば、トレーニング失敗信号を受信した前記送信元は以前の手順に戻って再びトレーニングチェック信号ＴＣＦを送信することとなるので、これに適宜対応することにより手順の破綻による通信のエラーを防止できる。
本発明においては、前記受信データは１信号及び０信号を有しており、前記判定手段１１４は、前記受信データにおける、０信号の連続する期間と所定の閾値とを比較することにより、前記判定を行なうように構成してあることを特徴とする。
本発明によれば、より正確に画像データであるかいなかの判断を行うことが可能である。すなわち、ＩＴＵ‐Ｔ勧告によれば、トレーニングチェック信号ＴＣＦは１．５秒間の「０信号」の連続を持つデータであるが、画像データＰＩＸにおいてはデータ中に「０信号」の連続が１秒以上続く可能性は低いので、０信号の連続する期間に基づいて前記判断を行うことで、より正確な判断が可能である。
本発明においては、前記受信データは１信号及び０信号を有しており、前記判定手段１１４は、前記受信データにおいて、連続する０信号の数と所定の閾値とを比較することにより、前記判定を行なうように構成してあることを特徴とする。
本発明によれば、より正確に画像データであるかいなかの判断を行うことが可能である。すなわち、ＩＴＵ‐Ｔ勧告によれば、トレーニングチェック信号ＴＣＦは１．５秒間の「０信号」の連続を持つデータであるが、画像データＰＩＸにおいてはデータ中に「０信号」の連続が１秒以上続く可能性は低いので、連続する０信号の数に基づいて前記判断を行うことで、より正確な判断が可能である。
本発明においては、前記送信手段１１５がトレーニング失敗信号を送信した後、更に外部からデータが受信された場合、前記判定手段１１４は、受信された受信データに対して前記閾値より小さい閾値にて比較を行なうように構成してあることを特徴とする。
本発明によれば、トレーニングチェック信号ＴＣＦは繰り返される度に送信速度が減ずることに対応して、その都度閾値を変えることにより、前記判定手段が一層正確な判定を行うことが可能となる。
【符号の説明】
【０１０２】
１１１  ＣＰＵ
１１４  判定部
１１５  送信部
１７  符号／復号部
１００  複合機
【図１】
2014171117.tif 000003
【図２】
2014171117.tif 000004
【図３】
2014171117.tif 000005
【図４】
2014171117.tif 000006
【図５】
2014171117.tif 000007
【図６】
2014171117.tif 000008
【図７】
2014171117.tif 000009
【図８】
2014171117.tif 000010
【図９】
2014171117.tif 000011
【図１０】
2014171117.tif 000012